(57)【特許請求の範囲】
【請求項１】
石けん／洗剤の供給材料を相互にかみ合う逆回転式ツインスクリューエクストルーダを通過させて処理する段階を含む石けんの形を形成する方法であって、二つのスクリュー（１、２）は、反対向きにねじが切られていると共に、互いに非整合のねじ山を有しており、かつ各スクリュー（１、２）の長さの直径に対する比が、個々に独立して1:1を上回っている方法。
【請求項２】
請求の範囲第１項に記載の方法によって石けんの形を形成する装置であって、相互にかみ合う逆回転式ツインスクリューエクストルーダを含んでおり、二つのスクリュー（１、２）は、反対向きにねじが切られていると共に、互いに非整合のねじ山を有しており、かつ各スクリュー（１、２）の長さの直径に対する比が、個々に独立して1:1を上回っている装置。
【請求項３】
エクストルーダはバレル（３）の内部に回転するよう取り付けられてある反対向きにねじが切られ互いに接近してかみ合っている二つのスクリュー（１、２）を含み、バレル（３）は第一の送り端（６）と第二の吐出し端（８）を有し、前記スクリュー（１、２）は、スクリューとスクリュー間およびスクリューとバレル間に、供給材料が前記第一の端（６）から第二の端（８）に向かってバレル（３）の少なくとも一部分に沿うように通過するときスクリューとバレルの表面とが境界線となってその供給材料が複数の不連続な線分、すなわち実質的にＣ型の線分となるように分割され、分割された供給材料は経路に運ばれてそれによってその大部分がスクリューの回転軸と実質的に平行に移動するような極小のクリアランスを有する請求の範囲第２項に記載の石けんの形を形成する装置。
【請求項４】
各スクリュー（１、２）は独立に、送り端（６）から吐出し端（８）へ進むにつれフライト幅が50％を上回って増大するようにバレルの送り端（６）から吐出し端（８）へと変化する断面形状を有する請求の範囲第３項に記載の装置。
【請求項５】
スクリュー（１、２）のピッチ角はバレル（３）の吐出し端（８）に隣接する部分で８〜20゜の範囲にある値からバレル（３）の送り端（６）に隣接する部分で８〜30゜の範囲の値に変わり、それによって第一のスクリューにおけるフライトの追従フランクが第二のスクリューにおける進み側フランクに隣接する請求の範囲第３項に記載の装置。
【請求項６】
第一のスクリューにおける送り端（６）と吐出し端（８）に隣接する区域でのピッチ角の変化が第二のスクリューにおける送り端と吐出し端に隣接する区域でのピッチ角の変化よりも小さい請求の範囲第３項に記載の装置。
【請求項７】
各スクリュー（１、２）の長さの直径に対する比が独立に３〜８の範囲にある請求の範囲第２項に記載の装置。
【請求項８】
吐出し端に隣接する第一と第二のスクリュー（１、２）の間の回転クリアランスは少なくとも５゜である、請求の範囲第３項に記載の装置。
【請求項９】
バレル（３）の内部の供給材料を冷却するための冷却手段をさらに含む請求の範囲第２項に記載の装置。
【請求項１０】
冷却手段が一つまたは両方のスクリュー（１、２）の内部を通過させて冷却流体を循環させる手段を含む請求の範囲第９項に記載の装置。
【請求項１１】
冷却手段はバレル（３）を取り巻く冷却ジャケットを通して冷却流体を循環させる手段を含む請求の範囲第９項に記載の装置。
【発明の詳細な説明】
本発明は、石けんの形を形成する方法とその方法において使用する装置の改良に関する。本発明は、特に、いわゆる石けん「押出機」（Plodder）と改良した押出機を用いた石けん形成方法の改良に関する。本発明はとりわけ棒状石けんの製造方法に関して説明するが、「石けん」という語は合成界面活性剤も含めた非石けん系界面活性剤を含む材料にまで及び、また「形」という語は棒状石けん、ビレット、タブレット、そしていわゆるひも状のもの（noodle）をも含めたその他の三次元の固体の形にまで及ぶものであることを了解されたい。
棒状石けんまたはビレットを生産するための出発材料は、界面活性剤類、その他の機能性成分および水を適正な割合で含有する混合物である。この混合物の組成によって、レオロジー（rheology）的特性かつ加工上の特性が大きく異なってくる。
一般に、このような混合物の加工／仕上げは、均質化、せん断加工そして所要の形状への成形などの種々の工程段階を含む。
上記の操作の一つまたは複数を実行するために極一般に用いられる装置の一つが押出機である。
単純な押出機の機能は、前記のような混合物を所要の断面を有する棒またはビレットに成形することである。こうして成形された混合物は、他のふさわしい方法によって引続きさらに小さな棒に切断されたり、また所要の形状のタブレットに打ち抜かれたりする。
精製押出機の機能は、混合物から砂状の粒子や不純物を除去すること、さらには所要の均質度または相構造を達成するために混合物を均質化／せん断加工することである。この押出機は、ぼろぼろの団粒／切粉／薄片を中間貯蔵する、あるいは続く工程操作へ送るためにペレットやひも状のものに変えるのに用いられることもある。
組立品としての押出機の中心部はスクリューエクストルーダ（extruder）である。最も単純な押出機は、単一のスクリューの付いたエクストルーダを有する。均質化かつ加工された形で、あるいはペレット、ひも状のもの、くるりと巻いた切粉または（再利用）棒などの形でホッパを通して供給される供給材料は、エクストルーダのバレルにはいり、エクストルーダウォーム（スクリュー）とバレルの間の環状空間を埋める。バレルは固定されており、ウォームはバレルの内側で回転する。バレルおよびウォーム表面いずれにおいても、摩擦／粘性抵抗力が材料に作用する。その合力が原因となり、加工塊は固定したねじボルトの表面を回転するナットのように吐出し端方向に前送りされる。エクストルーダはその吐出し端に加工塊を強制的に通過させる多孔板を有することがある。これは一般に「ひも状のもの」板として知られている。加工塊は多孔板からロッド／リボン／シートの形で出てくる。
目的が中間貯蔵用の切り刻んだひも状のものまたはペレットを作ること、あるいは引き続く工程段階への供給物として利用することである場合には、押出成形物を小片に切り刻むために、適当な切断工具が吐出し端に付けられる。目的が均質性またはせん断加工性を高めること、あるいは砂状の粒子を漉過して取り除くことである場合には、多孔板の前面にワイヤゲージを取り付けると有益であるが、それによって一定時間の原料処理量（throughput）が低下しがちになる。目的が混合塊をビレットまたは棒に成形することである場合は、コーンやダイ／アイプレート（die/eye plate）を多孔板とともにあるいは多孔板なしでエクストルーダの吐出し端に付ける。エクストルーダは混合塊をこれら端部に設けた取付物を強制的に通過させ、ビレットや棒を産出する。多孔板、コーン、ダイ／アイプレートなどの設計はその適用のしかたでかなり異なる。
二重または双ウォーム押出機と呼ばれる機械は、バレル内に互いに平行でかつかみ合わず、しかもわずかに触れる程度に取り付けられている二つのウォーム（スクリュー）を有する。これらウォームは同時回転することができるが、通常は逆回転している。相互にかみ合って同時回転するツインスクリューエクストルーダも石けん／洗剤塊の加工用として知られている。相互にかみ合わない二重押出機と相互にかみ合う同時回転式ツインスクリューエクストルーダのいづれの場合にも、単一ウォーム押出機の場合と同様の抗力が加工塊に作用し、加工塊は前方向に押される。
スクリューエクストルジョンは一見単純な操作に見えるが、製品の質、一定時間の原料処理量率、比エネルギー消費量などの点からみると、その結果には多くの要因がかなり複雑に絡み合って影響を及ぼしている。通常、押出しは石けん側の要因と機械側の要因によって影響を受ける。最良の結果を得るためには様々な要因を考慮することが重要である。加工材料が前方に進むにつれて摩擦熱やせん断熱が生じ、結果としてその加工材料が加熱することになる。材料の調剤によっては、かなりの構造破壊が生じることもある。いくつかの例では、生じた熱によって加工塊の温度が所望の範囲を超えて上昇し、不本意ながら石けんの特性の一部に悪影響を及ぼす結果になっている。単一ウォーム押出機、二重押出機、および相互にかみ合う同時回転式エクストルーダを採用した従来より知られている石けん仕上げ工程について、二三不利な点を以下に述べる。
1.一定時間の原料処理量率はワイヤメッシュスクリーン、多孔板、コーン、およびダイによる抵抗に敏感である。
2.輸送される加工材料は過剰のせん断にさらされる可能性があり、結果としてレオロジー上の損傷や温度上昇が生じる。これらがユーザ特性を低下させ、また押出成形品の軟化をまねいて後続の加工を複雑にする可能性がある。過剰かつ無駄なせん断散逸はエネルギー効率の低下をまねくことにもなる。
3.製品の条件に合った温度制御を達成しかつポンピング（pumping）特性を達成するために、バレルを冷却するのに15℃未満、好ましくは10℃未満に冷却された冷却剤を使用する必要がある。この要件のために、冷却プラントへの投資や操業費がかさむことになる。
4.従来のエクストルーダの輸送特性は加工材料のレオロジーの影響を非常に受けやすい。また棒状石けん／洗剤のレオロジーはその調剤の影響を非常に受けやすい。それゆえ、納得のいく加工を可能にする調剤にはいくつかの制約がある。これらの制約によって、皮膚軟化作用、保湿作用など機能面で改良点／新規さが加わった棒状石けん／洗剤の製造は厳しく制限される。なぜなら、それら石けん／洗剤はアルキルイセチオネート類などの別の界面活性剤を使用したり、肌に効果的な薬剤などの機能性成分、例えば脂肪酸、ミネラル、パラフィン油、シリコーンなどを使用しながら調剤に変更を施して作り上げたものだからである。
半世紀を超える押出し式棒状石けんの歴史の中で、装置製造業者および棒状石けん製造業者等は設計上の特徴あるいはパラメータの異なる押出機のウォームを研究開発してきたが、どれ一つとして上記の欠点を十分低減できるものはない。
本発明の一つの目的は、上記の欠点を最小化すること、好ましくはその発生を防止することである。
本発明の発明者等は今、非整合性かつ直径に対する長さの比が１を上回るスクリューを有する、相互にかみ合う逆回転式ツインスクリューエクストルーダを使用することによって、上記の欠点の一部またはすべては克服できるという解決にいたった。
従って、本発明の第一の側面は、石けんの形を形成する方法を提供することであって、スクリューが正反対の方向にねじ切られ、整合性がなく、スクリューの直径に対する長さの比が1:1を上回っている相互にかみ合う逆回転式ツインスクリューエクストルーダに石けんの供給材料を通過させる段階を含む方法を提供することである。
本発明の第二の側面は、特許請求の範囲第一項に記載の方法によって石けんの形を形成する装置を提供するものであり、その装置はスクリューが正反対の方向にねじ切られ、整合性がなく、その直径に対する長さの比が1:1を上回っている相互にかみ合う逆回転式ツインスクリューエクストルーダを含む装置である。
このような処置によって、いかなる回転スピードであっても一定時間の原料処理量率は増大し、供給材料のレオロジーおよび冷却剤の循環への一定時間の原料処理量率の依存度は最小となり、製品のレオロジー上の損傷や温度上昇も最小となり、さらにエクストルーダを運転するための比出力条件も最小となる。
「非整合性」とは、エクストルーダのスクリューがその使用中に互いの鏡像にならないことを意味する。これは、一方のスクリューにおけるフライト（flight）の後端フランク（flank）が第二のスクリューにおけるフライトの進み側フランクに極めて接近して隣接することを確実にすることによって達成される。
エクストルーダは、一般に、正反対にねじ切られ互いに密接にかみ合っている二つのスクリューを含む。それらスクリューは回転するようにバレル内部に取り付けられている。バレルは第一の送り端と第二の吐出し端を有する。上記スクリューはスクリューとスクリュー間およびスクリューとバレル間に極小のクリアランスを有する。このクリアランスのおかげで、供給材料が上記第一の端から第二の端に向かってバレルの少なくとも一部分に沿うように通過するとき、スクリューとバレルの表面とが境界線となってその供給材料は複数の不連続な線分、すなわち実質的にＣ型の線分となるように分割される。分割された供給材料は経路に運ばれ、その大部分はスクリューの回転軸と実質的に平行に移動する。
上記の方法を実施するためのエクストルーダは、互いにセルフワイプ（self−wipe）するように配置され相互にかみ合っている一対のスクリューを収容しているバレルを含む。上記バレルの一端には、材料をバレルに供給する手段が設けられている。バレルの第二の端には材料を石けんの形に形成する手段が設けられている。
スクリューはエクストルーダから分離可能であり、必要なときにはいつでも、異なるスクリュー設計を有する別の一対のスクリューと交換可能である。スクリューは連続したものでも分割されたものでもよい。分割スクリューは、加工される材料の組成に応じて操作できるように、変動ピッチが可能な脱着部分を有する。スクリューは一条であっても多条であってもよい。
下記の図を例示的なものとして参照しながら、本発明を説明する。
第１図は、一般的な相互にかみ合う逆回転式ツインスクリューエクストルーダをスクリュー部の開断面図と共に表した略図である。
第２図は、相互に完全にかみ合った逆回転スクリューを有する一般的なエクストルーダ／バレル組立品の断面図である。
第３図は、本発明の一実施形態によるスクリューの横断面像である。ただし、点線は送り域のスクリュー像を、実線は吐出し域のスクリュー像を表す。
第４図は、本発明の好ましい一実施形態による二つの相互にかみ合うスクリューの平面図である。
第５図〜第11図は、本発明のエクストルーダを用いて行った実験の結果をグラフで表した図である。
図で示すように、エクストルーダは、ジャケット付きあるいは無しのバレル３の内部に取り付けられ相互にかみ合っているスクリュー１と２を含み、モータとドライブギアの組立品４によって駆動される。二つのスクリューは正反対にねじを切られており、相互にぴったりかみ合っている。一方のスクリューが右回りに回転すると、他方は左回りに回転する。図示したスクリューは一条スクリューであるが、多条スクリューであってもよい。
本発明のスクリューは、吐出し域８で実質的にかみ合っている（第４図）。一般的なエクストルーダでは吐出し域に最大かみ合い圧力がかけられるので、従来より使用されているエクストルーダでは加工される塊のせん断による粉化、熱散逸およびその結果起こる熱上昇、さらに内部循環による一定時間の原料処理量のロスなどの大部分が当域で起こる。しかし、本発明では、実質的にかみ合っている吐出し域によって複数の実質的に閉じたＣ型の室が確保され、それによって最小の内部循環で、すなわちより高い一定時間の原料処理量率で、製品の構造劣化を最小に抑えながら比較的穏やかに、しかも熱散逸と温度上昇が最小の状態で石鹸／洗剤材料が積極的に移動されることが可能となる。スクリューの操作に過剰な力を必要とせずに相応の積極的移動型ポンピング作用を得るためには、好ましくは、実質的にかみ合っている送り域の長さはスクリューの「リード」（lead）の１〜３倍であり、より好ましくは、スクリューリードの1.5〜2.5倍である。
操作中のエクストルーダでは、不連続の粒子状物質または塊の塊をぎっしり詰めて均質の押出成形物にする必要がある。これは、送り端６の隣接部から吐出し端８の隣接部に進むにつれてフライト幅が吐出し域から送り域へ徐々に／累進的に増大し、好ましくは50％を上回るようにスクリューの断面形状を変化させる（第４図参照）ことで達成できる。同時に、詰まりの状態を改善するためにスクリューのピッチ角を随意に変更してもよい。ピッチ角は、吐出し端の隣接部で８〜20度であることが好ましく、より好ましくは８〜18度であって、送り端の隣接部では８〜30度が好ましく、より好ましくは８〜18度である。
第４図は、一方のスクリューにおけるフライトの追従フランクが第二のスクリューにおけるフライトの進み側フランクに非常に接近して隣接している「非整合性」（non−matching）スクリューを表す。これは、一方のスクリューにおけるフライトの平均位置を吐出し端に隣接する第二のスクリューにおける対応するみぞ（channel）の中心と一直線に並ぶようにし、一方で、片方のスクリューのピッチ角を移動域７の長さに沿って素早く変更することによって達成される。（第４図参照）
エクストルーダの送り端にはホッパ５が設けてあり、そこを通って石鹸材料はエクストルーダに入る。エクストルーダの他端にはワイヤメッシュ付きまたはワイヤメッシュ無しの多孔板、スクリーンペレット切断機、コーン、アイプレートなどの通常の取付物が、（図示せず）ペレット、ビレットあるいは棒など製品の所望の形に応じ所望の組み合せで取付けられている。
送り域６、移動域７および吐出し域８（第４図）の長さの和であるスクリューの全長は、好ましくは直径の２〜８倍、より好ましくは直径の３〜８倍である。長さが長くなる程ポンピング特性には有益となる。しかし、長さが長くなれば単位一定時間の原料処理量率当りのパワー消費量が多くなることもあり得、資本費は確実に高くなる。従って、スクリューの全長は直径の３〜５倍であることが最も好ましい。
電力条件および熱散逸を最小にするために、スクリューの「ランド」（land）とバレルの間の摩擦を減らすことが望ましい。それゆえ、本発明の一つの好ましい実施形態では、スクリューの広い「ランド」、特に送り域と移動域の「ランド」は第４図が示すように後縁で段を切り込んである。
棒状石鹸/NSD工業で使用する製造費が経済上正当であると認められるよう装置の製造費を削減するために、スクリューは少なくとも一部分鋳造方式で作られる。前述のように直径に対する長さの比を妥当にし、かつスクリュー間の適切な回転（と並進）クリアランスをとることによって、本発明のウォーム製造に低費用の鋳造方式を採用することが可能になる。スクリュー間のクリアランスは、スクリューの横断面図によって十分に明らかである。第２図は、最小のクリアランスで相互に完全にかみ合っている典型的スクリューの横断面図である。第３図は、縮小した断面（ハッチングした）面積を有する本発明のスクリューの代表的横断面図である。横断面図ジオメトリー（geometry）におけるこのリラクセーション（relaxation）によってスクリュー間の回転（並進）クリアランスが増大することになる。吐出し域にあるスクリュー間の通常の回転クリアランスは、通常の横断面図ジオメトリーに基づいた場合、５゜より大きいことが好ましい。このようなクリアランスによってウォームの製造に低コストの鋳造技術を利用できるばかりか、従来のわずかに触れる程度に接近したツィンウォーム押出機を低コストで駆動する際の遊びやバックラッシも許容されることになる。
前述のエクストルーダは全て単段エクストルーダ機構を有するものであったが、本発明は二段、または多段エクストルーダ、特に多段真空押出機または多段真空精製機に対応するエクストルーダを用いても等しく実施することができることは理解されよう。
加工が進行している間、二つのウォームはモータとドライブギアの組立品４（第１図）によって逆回転する。ホッパ５（第１図）の中の供給原料は、ウォームの送り域６（第４図）の中にはさみ込まれる。粒子から成る塊状の供給塊は、ウォームによって送り域のスクリュー部に近い移動域に運ばれる。加工塊は移動域のスクリュー部に近い吐出し域に詰め込まれ運ばれる。スクリューが回転するにつれて、前述の閉じたＣ型空洞の各々にある材料は直線状に運ばれ、ロッド状の形をなして多孔板の孔を通って押出され、コーンの中でまとめて溶接される。これが次に、所要の断面を有する棒となってアイプレートから連続して出てくる。製品の所望の形がひも状のものである場合は、多孔板（精製ワイヤスクリーン付きまたは精製ワイヤスクリーン無し）のみが端取付物として使用される。加工済み塊は多孔板の孔を通ってひも状のものとして吐き出される。ペレットが所望の場合には、吐き出されるひも状のものをペレットに切り刻むために回転せん断機が使われる。所望の製品の形が棒またはビレットの場合は、多孔板と併用あるいは多孔板なしでコーンとアイプレート（ダイ）が端取付物として使用される。スクリューの吐出し域付近まで押し進められた加工塊は、コーンやアイプレートから押し出される時に融合され、棒またはビレットに形成される。
驚くべきことに、（先に記述したように）採用したスクリューの長さが短いことや（先に説明済み理由で）スクリュー間にクリアランスを設けているにも関わらず、本発明のスクリューのポンピング特性は、従来技術の一部である先にテストした押出機のウォームのどれよりもはるかに優れていることが判明した。本発明のウォームにより、いかなる回転スピードでもレオロジーまたは石鹸/NSD製品の調剤に関係なく、高い一定時間の原料処理量率を得ることができる。
また驚くべきことに、塊の回転や石鹸の一定時間の原料処理量率の激減を防止するためバレルの冷却に15℃未満に冷却した冷却剤、好ましくは10℃未満に冷却した冷却剤の使用を必要とする単一スクリュー式またはわずかに触れる程度に接近したツィンスクリュー押出機とは異なり、本発明のエクストルーダは冷却剤を使用せずに納得のいく操作が可能であることが判明した。製品の冷却や温度制御を達成るために適正な温度、すなわち５〜35℃、の冷却剤を随意に使用してもよいが、エクストルーダのポンピング機能に必須というわけではない。冷却した冷却剤を使用する必要を排除することによって操業コストが削減されるだけでなく、冷却プラントへの投資の必要も同時に排除されるので資本費も削減されることになる。
さらに驚くべきことには、本発明のエクストルーダは一定時間の原料処理量率が高いにもかかわらず、比出力消費量は現在使用されている単一スクリュー式またはわずかに触れる程度に接近したツィンスクリュー押出機に比べてはるかに小さいことも判明している。これにより、操業コストが低減されるだけでなく、単位一定時間の原料処理量率あたりの資本費もまた削減されることになる。すなわち、押出機自体について言えば、駆動組立品の定格出力を下げることによって押出機のコストを60％上回わる額が削減される計算になる。
本発明を説明するために、以下に例を挙げる。
実施例
棒状石鹸／洗剤の二種類の異なる調剤を用いて、本発明の単段押出機と従来の押出機についてその性能を比較する実験を行った。
ウォームの対四種類（E1、E2、E3、および比較Ｅ＊）についてテストを実施した。それぞれのピッチ角とその他の特性を下記の表１に表す。
0003623796.tif 000002
両押出機とも、出力軸の中心から中心までの距離が100mmの逆回転駆動を用いて運転するように設計された。両押出機ともウォームの溝の深さは同一で、25mmであった。両押出機ともウォームの全長は同一で、〜500mmであった。古くから既知でありかつ最適の技術によれば、従来の接線ウォームのピッチ角は送り域で12.6゜、吐出し域で9.0゜と異なった。試験用押出機のウォームのピッチ角は、送り域では12〜18゜、吐出し域では12〜18゜（表１参照）と異なっていた。試験用ウォームのフライト幅は、吐出し域から送り域へいくにつれてほぼ60％減少していた。ウォームE1のランドは、ランドとバレルの間の摩擦を低減するために後縁で5mm低く段をつけた。ウォームE1の吐出し域の長さは、スクリューの「リード」の長さに等しい。ウォームE2、E3の吐出し域の長さは、スクリューの「リード」の長さの1.5倍であった。それぞれの長さの直径に対する比は4.0であった。完全にかみ合っている吐出し域で、ウォームの断面ジオメトリー上の呼び回転クリアランスはほぼ10゜であった。ウォームは、鋳造技術を利用する従来のウォーム製造方法で低コストの方法を採用して作られた。
脂肪酸のナトリウム塩を界面活性剤として含有しかつひも状のものの形をしている化粧石けんの調剤を三種類、すなわちＡ、Ｂ、Ｃを、第一セットの実験の供給原料として用いた。
実験に使用した石けんの調剤は以下の通りである。
0003623796.tif 000003
0003623796.tif 000004
0003623796.tif 000005
本発明による押出機のバレルを冷却するために使用した水の温度は７℃〜30℃の間で異なった。従来の押出機のバレルを冷却するために使用した水の温度は14℃〜30℃の間で異なった。供給ひも状のものの温度は約28℃〜33℃であった。それぞれの押出機で何回か運転が実施された。一定時間の原料処理量率、比エネルギー消費量、冷却温度に対する感度、塑性降伏応力などを、従来の方法を用いて測定した。
第二セットの実験では、非石けん系洗剤（NSD）の生地（直鎖アルキルベンゼンスルホン酸22％、ソーダ４％、カオリン8.3％、カルサイト42％、無機構造剤６％、無水アルカリケイ酸塩1.5％、STPP8.3％、水分と少量の香料６％、顔料、TiO2などから成る成分を有する）を、大きなシグマミキサ（sigma mixer）でそれぞれ一回分30kgまたは40kg生成した。生地は生成ししだい、ヌードラーを用いてひも状のものにした。
生成したてのひも状のものは、冷却と硬化を防止するため、即刻新規の押出機のポンピング特性のみを調べる供給材料として遅滞なく使用した。本発明の押出機および従来の押出機のバレルを冷却するために30〜31℃の冷却水を使用した。供給ひも状のものの温度は、一回分の量に応じて39℃〜45℃であった。
石けんＡ、Ｂ、Ｃの場合、新規の押出機の一定時間の原料処理量は従来の押出機の一定時間の原料処理量に比べ1.5〜2.5倍と高く、新規の押出機の比エネルギー消費量は従来の押出機より50〜85％低減した（第５図〜第９図参照）。供給材料が押出成形物に変化したときの温度上昇は、新規の押出機の冷却剤の温度が30℃で従来の押出機の冷却剤の温度15℃であった場合でも、両押出機ともほぼ同じであった。このことより、新規の押出機の場合には冷水（冷却水）は周囲温度の冷却水で代用可能であることが明らかである。第７図と第８図から、新規の押出機ではバレルを冷却するために冷水（冷却水）を使用しなくとも十分納得のいく操作が可能であり、他方、従来の押出機ではバレル冷却用に冷えていない水を使って操作すると押出機内部の塊の回転により一定時間の原料処理量率が劇的に低下することが明らかである。このことはさらに、新規の押出機は従来の押出機に比べて高度の正の変位機能を有していることを示すものである。第９図より、整合性のスクリュー（Ｅ＊）を備えた押出機よりも非整合性のスクリュー（E2）を備えた押出機を使用することの利点が明らかにされる。第11図からは、新規の押出機ではいかなる回転スピードにおいても石けんのレオロジー（第10図）または調剤に関係なく高い一定時間の原料処理量率が得られることが明らかである。このことはさらに、表２に表される棒状NSDのデータ、すなわち、新規の押出機の一定時間の原料処理量率は従来の押出機の場合より1.5倍高く、その比エネルギー消費量は30％低いというデータによっても裏書きされる。
0003623796.tif 000006
本発明の押出機／エクストルーダを、特に、石けん／洗剤の形の形成に関して記述してきたが、その他の分野においても利用可能であることは理解されなければならない。
【図１】
0003623796.tif 000007
【図２】
0003623796.tif 000008
【図３】
0003623796.tif 000009
【図４】
0003623796.tif 000010
【図５】
0003623796.tif 000011
【図６】
0003623796.tif 000012
【図７】
0003623796.tif 000013
【図８】
0003623796.tif 000014
【図９】
0003623796.tif 000015
【図１０】
0003623796.tif 000016
【図１１】
0003623796.tif 000017